(57)【要約】【課題】本発明は、就寝時に、眠りに付くまでは設定した風量で運転し、その後、室温が上昇していない場合に、風量を徐々に下げていく扇風機を提供することを目的とする。【解決手段】所定の信号を受けてからの経過時間をカウントする経過時間カウント部１１と、温度センサ７の信号から室温を算出する室温算出部１２と、経過時間と室温から送風量を決定する送風量算出部１４と、送風量を算出した送風量に制御するファンモータ制御部１５を備えた構成にしたことにより、所定の信号を受けてからの経過時間と室温に応じた風量で運転できるので、使用者が心地よい運転が得られる。【選択図】図２
2015063983.tif 000002
【特許請求の範囲】
【請求項１】
ファンと、ファンモータにより構成される送風部と、
前記送風部を支える基台と、
操作部と、
温度センサと、
制御部を有し、
前記制御部は、
前記操作部の入力に基づいて運転モードの設定を行うモード設定部と、
所定の信号を受けてからの経過時間をカウントする経過時間カウント部と、
前記温度センサの信号から室温を算出する室温算出部と、
前記経過時間カウント部でカウントした経過時間と前記室温算出部で算出した室温に基づいて送風量を決定する送風量算出部と、
この送風量算出部で決定した送風量に基づいて前記ファンモータを制御するファンモータ制御部を備えた扇風機。
【請求項２】
前記経過時間カウント部は、所定の信号を受けてから、一定時間の周期ごとに前記送風量算出部に信号を出力し、
前記送風量算出部は、前記経過時間カウント部からの信号を受けて、前回の判定時と比較して、室温が上昇していない場合に、送風量を低下させるようにした請求項１に記載の扇風機。
【請求項３】
さらに照度センサを備え、
前記制御部には、前記照度センサの信号から周囲の明るさを算出する明るさ検出部を備え、
前記経過時間カウント部は、前記明るさ検出部が算出した明るさが所定の明るさよりも暗くなったと判断されたとき、経過時間のカウントを開始するようにした請求項１または２に記載の扇風機。
【請求項４】
前記モード設定部には、運転モードとして、前記操作部で設定する風量で運転する固定運転モードと、前記送風量検出部で算出した送風量で運転する自動縮小モードを有し、
前記自動縮小モードにおいて前記送風量算出部が出力する最低の風量が、前記固定運転モードで選択可能な最低風量より、低い風量に設定した請求項１から請求項３に記載の扇風機。
【発明の詳細な説明】
【技術分野】
【０００１】
本発明は、扇風機における就寝時の送風に関するものである。
【背景技術】
【０００２】
従来、この種の扇風機は、室温に応じて風量を変更するものが知られている。（例えば、特許文献１参考）。
【０００３】
以下、その扇風機について図４を参照しながら説明する。
【０００４】
図４に示すように、扇風機本体１０１の主要部はファンモータ１０２、支柱１０３、基台１０４および温度センサ１０５からなり、温度センサ１０５によって検出した室温により、ファンモータ１０２の回転数を制御して、強風、中風、弱風、停止まで自動調整する。（例えば、特許文献１）
【先行技術文献】
【特許文献】
【０００５】
【特許文献１】特開平３−２５８９９９号公報
【発明の概要】
【発明が解決しようとする課題】
【０００６】
このような従来の扇風機においては、就寝時は、寝冷えを防ぐために、弱風での連続運転、または、室温による自動調整で、弱風と停止により運転していた。
【０００７】
しかし、眠りに付くまでは、ある程度風量があったほうが就寝しやすいことや、室温が低下したとき、あるいは眠りが深くなったときに強い風が身体に当たると不快に感じるといった課題があった。
【０００８】
そこで本発明は、上記従来の課題を解決するものであり、就寝時に、眠りに付くまでは設定した風量で運転し、その後、睡眠にあわせて風量を下げていくことにより、心地よい睡眠が実現できる扇風機を提供することを目的とする。
【課題を解決するための手段】
【０００９】
そして、この目的を達成するために、本発明は、ファンと、ファンモータにより構成される送風部と、前記送風部を支える基台と、扇風機本体に操作部と、温度センサと、制御部を有し、前記制御部は、前記操作部の入力に基づいて運転モードの設定を行うモード設定部と、所定の信号を受けてからの経過時間をカウントする経過時間カウント部と、前記温度センサの信号から室温を算出する室温算出部と、前記経過時間カウント部でカウントした経過時間と前記室温算出部で算出した室温に基づいて送風量を決定する送風量算出部と、この送風量算出部で決定した送風量に基づいて前記ファンモータを制御するファンモータ制御部を備えた扇風機としたものであり、これにより所期の目的を達成するものである。
【発明の効果】
【００１０】
本発明によれば、経過時間カウント部は、所定の信号を受けて、カウントを開始し、経過時間をカウントする。また、室温算出部は、上記温度センサの信号から室温を算出する。送風量算出部は、前記経過時間と前記室温から送風量を決定し、ファンモータ制御部は、送風量を前記算出した送風量にファンモータを制御するという構成にしたことにより、所定の信号を受けてからの経過時間と室温に応じた風量で運転できるので、使用者が心地よい睡眠が得られるという効果を得ることができる。
【図面の簡単な説明】
【００１１】
【図１】本発明の実施の形態１の扇風機を示す外観図
【図２】同ブロック回路図
【図３】本発明の実施の形態１の動作例を示す図
【図４】従来の扇風機を示す外観図
【発明を実施するための形態】
【００１２】
本発明の請求項１記載の扇風機は、ファンと、ファンモータにより構成される送風部と、前記送風部を支える基台と、扇風機本体に操作部と、温度センサと、制御部を有し、前記制御部は、前記操作部の入力に基づいて運転モードの設定を行うモード設定部と、所定の信号を受けてからの経過時間をカウントする経過時間カウント部と、前記温度センサの信号から室温を算出する室温算出部と、前記経過時間カウント部でカウントした経過時間と前記室温算出部で算出した室温に基づいて送風量を決定する送風量算出部と、この送風量算出部で決定した送風量に基づいて前記ファンモータを制御するファンモータ制御部という構成を有する。
【００１３】
これにより、経過時間カウント部は、所定の信号を受けてからの経過時間をカウントし、室温算出部は、温度センサの入力から室温を算出し、送風量算出部は、前期経過時間と室温から送風量を決定することとなるので、ファンモータ制御部が、前記送風量になるようにファンモータの回転数を制御することとなり、所定の信号を受けてからの経過時間と室温に応じた風量で運転できるので、使用者に心地よい運転が得られるという効果を奏する。
【００１４】
また、請求項２記載の扇風機として、前記経過時間カウント部は、所定の信号を受けてから、一定時間の周期ごとに前記送風量算出部に信号を出力し、前記送風量算出部は、前記経前記過時間カウント部からの信号を受けて、前回の判定時と比較して、室温が上昇していない場合に、送風量を低下させるという構成にしてもよい。
【００１５】
これにより、室温算出部は、温度センサの入力から室温を算出し、経過時間カウント部は、一定時間の周期ごとに送風量算出部に信号を出力するため、送風量算出部は、一定時間ごとに、室温が上昇していない場合に、送風量を低下することとなり、所定の信号を受けてから、一定時間は使用者があらかじめ設定した風量で運転し、その後、室温が上昇していない場合に、風量を徐々に下げていき、最終的に最低風量で運転することが可能となり、使用者が心地よい運転を得られるという効果を奏する。
【００１６】
また、請求項３記載の扇風機は、扇風機本体に照度センサと、制御部に明るさ検出部を有し、前記明るさ検出部は、前記照度センサの信号から部屋の明るさを算出し、前記経過時間カウント部は、前記明るさ検出部からの部屋が暗くなったという信号を受けて、経過時間のカウントを開始するという構成を有する。
【００１７】
これにより、部屋の照明が消灯されると、経過時間カウント部は、カウントを開始することとなる。これにより、使用者は、就寝時に運転モードを選択するという、わずらわしさを解消できるという効果を奏する。
【００１８】
また、請求項４記載の扇風機は、前記運転モードとして、一定風量で運転する固定運転モードも有し、前記送風量算出部が出力する最低の風量が、前記固定運転モードで、選択可能な最低風量より、低い風量に設定したという構成を有する。
【００１９】
これにより、前記固定運転モードでは、使用者が風に当たっているという使用感を優先しているのに対し、微風での部屋の空気の循環を優先した運転が可能となり、使用者の使い勝手を向上できるという効果を奏する。
【００２０】
以下、本発明の実施の形態について図面を参照しながら説明する。
【００２１】
（実施の形態１）
図１に示すように、本実施の形態による扇風機本体１は、送風部４と、送風部４を支える基台５を有している。さらに、基台５には、前面側に操作部６、背面側に部屋の室温を検出する温度センサ７、側面側に部屋の明るさを検出する照度センサ８を備えている。送風部４は、風を送るファン２と、このファン２を回転させるファンモータ３により構成されている。
【００２２】
図２に示すように、扇風機本体１の内部には、制御部９を有している。制御部９は、運転モードを設定するモード設定部１０と、経過時間カウント部１１と、室温算出部１２と、送風量算出部１４と、ファンモータ制御部１５を備えている。経過時間カウント部１１は、所定の信号を受けてからの経過時間をカウントする。室温算出部１２は、温度センサ７の信号から室温を算出する。送風量算出部１４は、経過時間カウント部１１がカウントした経過時間と室温算出部１２が算出した室温から送風量を算出する。ファンモータ制御部１５は、送風量算出部１４が算出した送風量になるようにファンモータ３を制御する。
【００２３】
上記構成において、本実施の形態の扇風機の運転について説明する。
【００２４】
モード設定部１０で設定できる運転モードとして、選択した風量で固定運転を行う固定運転モードと、送風量算出部１４で決定した送風量で運転する自動縮小モードを有している。固定運転モードとは、使用者が設定した風量（ノッチ）で運転するものである。ただし、この固定運転モードには、自動で風量を変更する、いわゆる「ランダム風」「ゆらぎ風」で運転するものも含んだものとする。一方、自動縮小モードとは、就寝時等に徐々に風量を下げていく運転を行なうものである。以降、この自動縮小モードについて説明する。
【００２５】
使用者が自動縮小モードを選択したとき、経過時間カウント部１１は、操作部６における自動縮小モードを選択した信号を受けて、その時点からの経過時間のカウントを開始する。
【００２６】
自動縮小モードの開始時には、送風量算出部１４は、使用者が設定した風量で運転を開始する。あるいは、固定運転モードで運転していた風量で運転を継続する。
【００２７】
経過時間カウント部１１は、一定周期（本実施の形態では３０分）ごとにトリガ信号を発信する。室温算出部１２は、このトリガ信号を受けて、温度センサ７の信号から部屋の室温を算出する。
【００２８】
送風量算出部１４は、経過時間カウント部１１でカウントした経過時間と、室温算出部１２で算出した室温から、送風量を決定する。送風量を決定する際、室温が上昇している場合には、送風量の変更をせず、そのままの送風量で運転を継続する。室温が低下、あるいは、同じの場合には、送風量を１段階下げる処理を行なう。
【００２９】
ファンモータ制御部１５は、送風量算出部１４で算出した送風量からファンモータ回転数を算出して、前記ファンモータ回転数になるように、ファンモータ３を制御する。
【００３０】
例えば、操作部６の操作で設定可能な固定運転の風量として、風量２（ソフト）、風量４（弱）、風量６（中）、風量８（強）の４段階の風量設定を有した場合で説明する。風量設定「風量１」「風量３」「風量５」「風量７」は、操作部６では設定ボタンを設けず、自動縮小モード時にのみ使われる風量である。以降、固定運転の風量６で運転していたときに、自動縮小モードを選択した場合の動作について、図３の動作例をもとに説明する。
【００３１】
自動縮小モードが選択された信号を受けて、使用者が設定した風量６で運転を開始する。経過時間カウント部１１は、自動縮小モードの開始時から経過時間をカウントし、３０分経過したときに送風量算出部１４に対しトリガ信号を発信する。以降、３０分ごとに送風量算出部１４に対しトリガ信号を発信する。なお、トリガ信号の発信周期を本実施の形態では３０分周期としたが、３０分に限定するものではなく、使用者が調整できるものであってもよい。
【００３２】
経過時間が最初の３０分経過したときには、送風量算出部１４は、就寝中の騒音を考慮し、室温に関係なく、風量を「風量４」に下げ、比較用前回室温として現在室温の２８℃内部メモリに記憶する。
【００３３】
その後、３０分後の経過時間６０分時点で、経過時間カウント部１１は、２回目のトリア信号を発信し、このトリガ信号を受けて、送風量算出部１４は風量変更の処理を実施する。室温算出部１２は現在の室温２７℃を出力している。
【００３４】
３０分前の前回判定時の比較用前回室温２８℃と現在の室温２７℃を比較し、室温が上昇していないため、風量を１速下げて「風量３」とし、比較用前回室温を現在室温の２７℃に更新する。
【００３５】
さらに、その３０分後の経過時間９０分時点で、送風量算出部１４は経過時間カウント部１１からの３回目のトリガ信号を受けて、風量変更の処理を実施する。室温算出部１２は現在の室温２８℃を出力している。
【００３６】
このとき、３０分前の前回判定時の比較前回室温２７℃と現在の室温２８℃を比較し、室温が上昇している。そのため、送風量算出部１４は、現在の送風量「風量３」を継続する判断をする。そして、比較用前回室温を現在室温の２８℃に更新する。
【００３７】
この後、３０分ごとに、経過時間カウント部１１はトリガ信号を発信し、送風量算出部１４は、風量変更処理を実施する。送風量を、「風量２」、「風量１」と下げていき、最終的には規定の最低風量「風量１」での運転を継続する。
【００３８】
このように、送風量算出部１４は経過時間カウント部１１からのトリガ信号を受けて、前回の判定時と比較して、部屋の室温が上昇していない場合に、送風量を１速低下する。
【００３９】
このような動作をすることにより、自動縮小モードに変更してから、就寝するまでの３０分間は、使用者が設定した風量で運転するため寝入りやすい。その後、徐々に風量が低下していくため熟睡しやすくなり、最終的には最低風量で運転することとなるので、心地よい睡眠が得られる。
【００４０】
なお、自動縮小モードを開始するトリガとして、照度センサ８、および明るさ検出部１３による「明るさ」の変化を用いてもよい。すなわち、明るさ検出部１３は、照度センサ８の信号から部屋の明るさを算出し、部屋の明るさが消灯レベルと判定した場合に、経過時間カウント部１１に信号「消灯信号」を出力する。
【００４１】
経過時間カウント部１１は、明るさ検出部１３からの消灯信号を受けて、自動縮小モードを開始し、経過時間のカウントを開始する。
【００４２】
このような動作にすることにより、部屋の照明が消灯されると、経過時間カウント部１１は経過時間のカウントを開始することとなるので、使用者は、就寝時に運転モードを変更するという、わずらわしさを解消できる。
【００４３】
なお、上記構成において、自動縮小モードが選択された時の、送風量算出部１４で算出される風量の最低風量を、固定運転モードで選択可能な最低風量より、低い風量に設定した。
【００４４】
このような設定にすることにより、意識的に扇風機を使用している場合は、使用者が、風に当たっているという使用感を優先する。それに対して、就寝中のような、微風により部屋の空気の循環を優先したい場合には、さらに低い風量で運転することとなるので、使用者の使い勝手の向上につながる。
【産業上の利用可能性】
【００４５】
本発明にかかる扇風機は、就寝時に、眠りに付くまでは設定した風量で運転し、その後、室温が上昇していない場合に、風量を徐々に下げていき、最終的に微風で運転できるので、使用者が心地よい眠りを得られる扇風機等として有用である。
【符号の説明】
【００４６】
１  扇風機本体
２  ファン
３  ファンモータ
４  送風部
５  基台
６  操作部
７  温度センサ
８  照度センサ
９  制御部
１０  モード設定部
１１  経過時間カウント部
１２  室温算出部
１３  明るさ検出部
１４  送風量算出部
１５  ファンモータ制御部
【図１】
2015063983.tif 000003
【図２】
2015063983.tif 000004
【図３】
2015063983.tif 000005
【図４】
2015063983.tif 000006